(57)【要約】【課題】  ハウジングを取り付け可能とする埋込ボックスの種類を増やし、且つ強度劣化も防止できるインターホンの居室親機を提供する。【解決手段】  ハウジング１のねじ止め部１５は、ねじ挿通孔１６を２つの長孔を連結して形成し、その上に補強板１８を配置し、ねじ止め部１５の左右に配置した縦リブ片２３と下側面部１４とで補強板１８の摺動を案内する一対の案内壁を構成した。案内壁は装着された補強板１８が前方へ外れるのを防止する外れ防止リブ２４を備え、ねじ止め部１５の下方には補強板１８のねじ止め部１５への挿入を可能とし、挿入された補強板１８の抜けを防止する抜け防止片２６を設けた。【選択図】  図５
2011077695.tif 000002
【特許請求の範囲】
【請求項１】
玄関等に設置されて来訪者が居住者を呼び出すための玄関子機と伝送線を介して接続され、前記インターホン子機からの呼び出しに応答するために居室壁面に設置されるインターホンの居室親機であって、
前記居室親機のハウジングは、壁面に埋設された埋込ボックスにねじ止め固定するねじ止め部をハウジング背部を構成する底面に有し、
前記ねじ止め部は、前記埋込ボックスの異なる種類に対応してねじを移動できるよう長孔状に形成されたねじ挿通孔を備えると共に、前記ねじ挿通孔形成部を補強する補強板が摺動可能に配置されて成り、
前記補強板はねじを挿通する透孔を備えて、使用する前記ねじ挿通孔の部位に応じて摺動して位置合わせでき、前記ねじ挿通孔形成部が前記埋込ボックスと前記補強板とで挟持されてねじ止め固定されることを特徴とするインターホンの居室親機。
【請求項２】
前記ねじ止め部内のハウジング底面には、装着された前記補強板を所定の位置に位置決めするための位置決めリブが形成されてなることを特徴とする請求項１記載のインターホンの居室親機。
【請求項３】
前記ねじ止め部は、前記補強板の摺動を案内するための一対の案内壁で上下或いは左右が囲まれると共に、前記案内壁は、装着された前記補強板の前面に係合して前記補強板が前方へ外れるのを防止する外れ防止リブを備えて成ることを特徴とする請求項１又は２記載のインターホンの居室親機。
【請求項４】
前記案内壁は前記ハウジングの側面と平行に形成され、前記案内壁の一方が前記ハウジングの側面を構成する側板であることを特徴とする請求項３記載のインターホンの居室親機。
【請求項５】
前記案内壁がない前記ねじ止め部の２方向のうち少なくとも一方に、前記補強板の前記ねじ止め部への挿入を可能とすると共に、挿入された前記補強板の抜けを防止する抜け防止片を備え、
前記抜け防止片は、ハウジング底面の一部から成る弾性片の先端に形成されたことを特徴とする請求項３又は４記載のインターホンの居室親機。
【請求項６】
前記ねじ挿通孔は夫々複数の長孔で構成され、１つのねじ挿通孔を構成する長孔同士は、ねじが移動可能な連通部を備えてなることを特徴とする請求項１乃至５の何れかに記載のインターホンの居室親機。
【発明の詳細な説明】
【技術分野】
【０００１】
本発明はインターホンの居室親機に関し、詳しくは壁面に取り付けるインターホンの居室親機ハウジングに関する。
【背景技術】
【０００２】
従来から、壁面に設置されるインターホンの居室親機は、通常壁面に埋設された埋込ボックスにねじ止めすることで固定されている。
例えば、特許文献１では、ハウジングである器体の背部に埋込ボックスに収容する膨出部の周囲であってハウジングの背部にねじ止めのためのボックス用孔（ねじ挿通孔）を設けて、埋込ボックスに設けられたねじ孔にねじ止めすることで固定していた。
【先行技術文献】
【特許文献】
【０００３】
【特許文献１】特開２００７−２８５４３号公報
【発明の概要】
【発明が解決しようとする課題】
【０００４】
しかしながら、埋込ボックスはメーカーによって寸法にばらつきがあるし、ハウジングを取り付ける際に位置決めのために、ハウジングに設けられたねじ挿通孔は単純な円形ではなく長円形状等大きな孔で形成されていた。
一方で、埋込ボックス自体複数種類あり、ねじ挿通孔を単純に大きく形成しただけでは対応できる種類が限られていた。そのため、多くの種類の埋込ボックスに対応できるよう、長円形状に形成したねじ挿通孔を更に長くしたり、開口部自体を更に広げる等の工夫が考えられるが、その場合ハウジングの強度劣化、特にねじ止めした周辺が変形し易くなる問題があった。
【０００５】
そこで、本発明はこのような問題点に鑑み、ハウジングを取り付け可能とする埋込ボックスの種類を増やし、且つ強度劣化も防止できるインターホンの居室親機を提供することを目的としている。
【課題を解決するための手段】
【０００６】
上記課題を解決する為に、請求項１の発明は、玄関等に設置されて来訪者が居住者を呼び出すための玄関子機と伝送線を介して接続され、インターホン子機からの呼び出しに応答するために居室壁面に設置されるインターホンの居室親機であって、居室親機のハウジングは、壁面に埋設された埋込ボックスにねじ止め固定するねじ止め部をハウジング背部を構成する底面に有し、ねじ止め部は、埋込ボックスの異なる種類に対応してねじを移動できるよう長孔状に形成されたねじ挿通孔を備えると共に、ねじ挿通孔形成部を補強する補強板が摺動可能に配置されて成り、補強板はねじを挿通する透孔を備えて、使用するねじ挿通孔の部位に応じて摺動して位置合わせでき、ねじ挿通孔形成部が埋込ボックスと補強板とで挟持されてねじ止め固定されることを特徴とする。
この構成によれば、ねじ止め部に補強板を配置するので、ねじ挿通孔の形状に関わらず、ねじ止めによるハウジングの破損、変形を防止することができる。よって、取り付け可能な埋込ボックスの種類を容易に増やすことができる。また、補強板はねじ止め位置に合わせて移動させることができるため、ねじ挿通孔は最小の形状に抑えることができ、補強効果を高める。
【０００７】
請求項２の発明は、請求項１に記載の構成において、ねじ止め部内のハウジング底面には、装着された補強板を所定の位置に位置決めするための位置決めリブが形成されてなることを特徴とする。
この構成によれば、装着した補強板は所定位置で位置決めされるので、特定のねじ止め部位で位置決めすることが可能と成り作業し易くなる。
【０００８】
請求項３の発明は、請求項１又は２に記載の構成において、ねじ止め部は、補強板の摺動を案内するための一対の案内壁で上下或いは左右が囲まれると共に、案内壁は、装着された補強板の前面に係合して補強板が前方へ外れるのを防止する外れ防止リブを備えて成ることを特徴とする。
この構成によれば、装着した補強板の移動操作は案内壁によりスムーズに行うことができる。そして、装着された補強板は外れ防止リブの作用で外れ難いためハウジング取り付け作業がし易い。
【０００９】
請求項４の発明は、請求項１乃至３の何れかに記載の構成において、案内壁はハウジングの側面と平行に形成され、案内壁の一方がハウジングの側面を構成する側板であることを特徴とする。
この構成によれば、案内壁はハウジングの側面を利用した構造としているので、別途案内壁を形成するスペースを必要とせず、ハウジングをそのために大型化する必要がない。
【００１０】
請求項５の発明は、請求項3又は４に記載の構成において、案内壁がないねじ止め部の２方向のうち少なくとも一方に、補強板のねじ止め部への挿入を可能とすると共に、挿入された補強板の抜けを防止する抜け防止片を備え、抜け防止片は、ハウジング底面の一部から成る弾性片の先端に形成されたことを特徴とする。
この構成によれば、抜け防止片を設けてもねじ止め部に補強板を挿入できるし、挿入した補強板は、抜け防止片により外れることがない。そのため、補強板が縦方向に摺動する形態の場合、下方に抜け防止片を設ければ落下することがないし、下方から着脱操作できる。
【００１１】
請求項６の発明は、請求項１乃至５の何れかに記載の構成において、ねじ挿通孔は夫々複数の長孔で構成され、１つのねじ挿通孔を構成する長孔同士は、ねじが移動可能な連通部を備えてなることを特徴とする。
この構成によれば、複数の長孔で１つのねじ挿通孔を形成するため、単純にねじ挿通孔を広げること無く対応する埋込ボックスの種類を増やすことができ、強度劣化を最小限に止めることができる。そして、長孔同士は連通されているので、ねじの移動がし易く取り付け作業がし易い。
【発明の効果】
【００１２】
本発明によれば、ねじ止め部に補強板を配置するので、ねじ挿通孔の形状に関わらず、ねじ止めによる居室親機ハウジングの破損、変形を防止することができ、取り付け可能な埋込ボックスの種類を増やすことができる。
【図面の簡単な説明】
【００１３】
【図１】本発明に係るインターホンの居室親機の一例を示す斜視図である。
【図２】居室親機ハウジングの一部を成すハウジング下の斜視図である。
【図３】補強板を除いたＡ部を拡大した図である。
【図４】補強板の斜視図である。
【図５】Ａ部の正面拡大図であり、装着した補強板を最上部に摺動した状態を示している。
【図６】Ａ部の正面拡大図であり、補強板を装着する途中の状態を示している。
【図７】Ａ部の正面拡大図であり、装着した補強板を抜け防止片が保持した状態を示している。
【発明を実施するための形態】
【００１４】
以下、本発明を具体化した実施の形態を、図面に基づいて詳細に説明する。図１は、本発明に係るインターホンの居室親機の一例を示す斜視図であり、居室親機のハウジング１は前面を構成するハウジング上１ａと、壁面に埋設された埋込ボックス（図示せず）に連結するねじ止め部を備えたハウジング下１ｂとを嵌め合わせて構成される。この居室親機は玄関に設置されて来訪者が居住者を呼び出すための玄関子機（図示せず）に伝送線を介して接続されて使用される。
ハウジング上１ａには、玄関子機との間で通話路を形成して通話を開始するための通話ボタン２、通話を終了するための終了ボタン３、非常時に操作する非常ボタン４等各種操作ボタンが配置されると共に、玄関子機のカメラが撮像する来訪者等の映像を表示するためのモニタ５等が組み付けられている（詳述せず）。
【００１５】
図２は、ハウジング下１ｂの斜視図であり、図１と同一の角度で示している。ハウジング下１ｂは、壁面に当接する平坦な背面を有する四角形の枠部１１を周囲に備え、枠部１１内に形成されて壁面内に配置された埋込ボックスに収容される膨出部１２を中央に有している。
枠部１１は、ハウジング上１ａの周囲側面を構成する上側面部７と係合する下側面部１４を周囲に有し、埋込ボックスにねじ止めするためのねじ挿通孔１６を備えたねじ止め部１５が上下左右４箇所に形成されている。このねじ止め部１５は、埋込ボックスに設けられた４箇所のねじ孔に対応するよう配置されている。
【００１６】
ねじ挿通孔１６は、斜めに配置した２つの長孔を連結した形状を有し、使用するねじ（図示せず）の径に対して大きな孔として形成されている。４箇所に形成されたねじ挿通孔１６は上下左右で線対称に形成されている。
そして、このねじ挿通孔１６を備えたねじ止め部１５の夫々には、ねじ止め部１５を補強するための補強板１８が配置されている。尚、図２では補強板１８は右上の１箇所のみ配置した状態を示している。
【００１７】
図３は、４箇所のねじ止め部１５の中の右上となる図２のＡ部を拡大した図を示し、補強板１８を外した状態を示している。また、図４は補強板１８の拡大図を示している。以下、このＡ部について具体的に説明する。他の３箇所は、このＡ部の構成に対して上下、或いは左右に対称配置した形状であり、同一の構造であるため説明を省略する。
【００１８】
補強板１８は金属板を打ち抜いて略四角形に形成され、図４に示すようにねじ挿通孔１６に合わせて斜めに形成された１つの長孔から成る透孔１９を有し、膨出形成された舌部１８ａが１隅部に形成されている。また、その舌部１８ａの近傍の１側部に切り欠き２０が凹設されている。
【００１９】
ねじ止め部１５は、図３に示すように、枠部１１上に形成された横リブ片２２、及び縦リブ片２３、そしてハウジング下１ｂの下側面部１４により３方が囲まれており、縦リブ片２３と下側面部１４とで補強板１８の摺動を案内する案内壁を形成している。また、横リブ片２２がねじ止め部１５から上方へ補強板１８の移動を規制している。
また、ねじ挿通孔１６は、外側の第１長孔１６ａと内側の第２長孔１６ｂが、連通部１７を有して一体化して形成され、挿通したねじが双方を行き交うことが可能に形成されている。
【００２０】
横リブ片２２は、枠部１１上に突出形成され、横方向に直線に形成されている。縦リブ片２３は、枠部１１上に横リブ片２２と同様に突出形成され、縦方向に直線に形成され、横リブ片２２に連続して形成されている。尚、横リブ片２２と縦リブ片はここでは連続形成されているが、分離して形成しても良い。
【００２１】
そして、縦リブ片２３及び下側面部１４には、装着した補強板１８が前方へ外れるのを防止する外れ防止リブ２４（２４ａ，２４ｂ）が形成されている。縦リブ片２３に形成された第１外れ防止リブ２４ａは、縦リブ片２３の下方１箇所に、ねじ止め部１５の内部方向に突出形成され、装着された補強板１８に係合するように形成されている。この第１外れ防止リブ２４ａは、ハウジング底面（枠部１１の前面）との間に補強板１８を挿通する空間を設けて形成され、補強板１８の前面左端部に係合する。
【００２２】
下側面部１４に形成された第２外れ防止リブ２４ｂは、ねじ止め部１５の上部に、ねじ止め部１５の内部方向に突出形成され、装着された補強板１８に係合するように縦長に形成されている。この第２外れ防止リブ２４ｂは、ハウジング底面（枠部１１の前面）との間に補強板を挿通する空間を設けて形成され、補強板１８の前面右端部に係合する。
双方の外れ防止リブ２４は、補強板１８がねじ止め部１５内で移動する範囲において、常時補強板１８に係合するように形成されている。
【００２３】
また、ねじ止め部１５の開放された下方には、装着した補強板１８が落下しない（抜け出ない）ように抜け防止片２６が形成されている。抜け防止片２６は枠部１１の前面から突出形成され、枠部１１を切り欠いて舌状に形成して弾性を持たせた弾性片２６ａの先端に形成されている。こうして抜け防止片２６に弾性を持たせることで、下方からねじ止め部１５への補強板１８の摺動挿入を可能としている。尚、ハウジング１の下部に設けられたねじ止め部１５においては、横リブ片２２が補強板１８の落下を防止し、抜け防止片２６が上方への抜けを防止する。
【００２４】
更に、ねじ止め部１５内には、摺動した補強板１８を位置決めして保持する位置決めリブ２７が所定部位に形成されている。この位置決めリブ２７は、２段に形成された長孔１６ａ，１６ｂのうち、外側の第１長孔１６ａに補強板１８の透孔１９を合致させた状態で、補強板１８の端部に係合する部位に設けられている。
具体的に、補強板１８を上部に移動した状態のＡ部を拡大した図５に示すように、第１長孔１６ａに透孔１９を合わせた補強板１８の切り欠き２０の位置に合わせて位置決めリブ２７は形成されている。この状態で、補強枠１８の切り欠き２０に位置決めリブ２７が係合し、補強板１８は位置決めされる。
【００２５】
このように構成されたインターホンの居室親機について、以下、壁面への取り付け手順を説明する。
まず、ハウジング１に設けられた四箇所のねじ止め部１５に対し、補強板１８を装着する。図６、図７は何れもＡ部を拡大した正面図であり、図６はねじ止め部１５に補強板１８を装着する途中の状態を示し、図７はその後摺動操作して補強板１８をねじ止め部１５に装着し、抜け防止片２６が保持している状態を示しており、この図に基づいて説明する。
【００２６】
図６に示すように、縦リブ片２３に形成された第１外れ防止リブ２４ａに、補強板１８に設けられた切り欠き２０を合わせることで、補強板１８をねじ止め部１５に装着することができる。そして、その後押し込み操作しながら上方に摺動操作する。押し込み操作することで、抜け防止片２６が後方に押し込まれて補強板１８が枠部１１の前面に密着し、その後摺動操作することで補強板１８は摺動し、図７に示す位置に移動する。
この状態で、弾性復帰した抜け防止片２６が補強板１８の下端に係合するため、抜け落ちることがないし、第１外れ防止リブ２４ａ及び第２外れ防止リブ２４ｂの作用で前方に外れることもない。
尚、補強板１８のねじ止め部１５への挿入は、第１外れ防止リブ２４ａに切り欠き２０を合わせることなく、枠部１１上の抜け防止片２６後方から、摺動操作により抜け防止片２６上をスライドさせて挿入しても装着することができる。
【００２７】
こうして補強板１８を取り付けたら、壁面に埋設された埋込ボックスにハウジング下１ｂをねじ止めする。この時、ねじ挿通孔１６の２つの長孔のうち外側の第１長孔１６ａを使用する場合には、図５に示すように補強板１８を横リブ片２２に当接する、或いはそれに近い上部まで摺動させる。この位置まで摺動すると、位置決めリブ２７が切り欠き２０に係合して補強板１８を位置決めでき、その位置で保持されるので手を離しても下方にずれることがない。この状態で、図示しないねじを補強板１８の透孔１９からねじ挿通孔１６に挿通し、埋込ボックスにねじ止めする。
【００２８】
また、ねじ挿通孔１６のうち内側の第２長孔１６ｂを使用する場合は、図７に示す補強板１８が抜け防止片２６に当接した装着時の状態が取り付け位置となっており、この状態で上記第１長孔１６ａを使用する場合と同様に、図示しないねじを補強板１８の透孔１９からねじ挿通孔１６に挿通し、埋込ボックスにねじ止めする。こうして、取り付け作業時に補強板１８は位置ズレを起こすことが無く、また外れ防止リブ２４の作用によって外れる虞もない。
【００２９】
このように、ねじ止め部１５に補強板１８を配置するので、ねじ挿通孔１６の形状に関わらず、ねじ止めによるハウジング１の破損、変形を防止することができる。よって、取り付け可能な埋込ボックスの種類を容易に増やすことができる。また、補強板１８はねじ止め位置に合わせて移動させることができるため、ねじ挿通孔１６は最小の形状に抑えることができ、補強効果を高める。
また、装着した補強板１８の移動操作は案内壁によりスムーズに行うことができるし、補強板１８は外れ防止リブ２４の作用で摺動位置に関わらず外れ難いため、ハウジング取り付け作業がし易い。
更に、装着した補強板１８は位置決めリブ２７により、外側の第１長孔１６ａに合致させた部位で位置決めされるので外側の長孔を使用する場合でも作業し易くなるし、案内壁の一方をハウジング１の側面を利用した構造としているので、別途案内壁を形成するスペースを必要とせず、ハウジングをそのために大型化する必要がない。
【００３０】
また、抜け防止片２６を設けても、ねじ止め部１５に補強板１８を挿入できるし、挿入した補強板１８は、抜け防止片２６により外れることがない。そのため、補強板１８が縦方向に摺動する形態の場合、下方に抜け防止片２６を設ければ落下することがないし、下方から着脱操作ができ作業し易い。
更に、２つの長孔で１つのねじ挿通孔１６を形成するため、単純にねじ挿通孔１６を広げること無く対応する埋込ボックスの種類を増やすことができ、強度劣化を最小限に止めることができる。そして、長孔同士は連通されているので、ねじの移動がし易く取り付け作業がし易い。
【００３１】
尚、上記実施形態では、ねじ止め部１５をハウジング１の左右側部に形成しているが、居室親機が横長のハウジングで形成される場合は、上記構成のハウジング１を傾倒した構成とすれば良く、その場合ねじ止め部１５はハウジングの上下側部に形成されることになる。そして、縦リブ片２３と下側面部１４とで形成した案内壁は横向きとなるため、補強板１８は横方向に摺動し、操作した所定の位置を保持しやすく抜け落ち難くなるため、横リブ片２２や抜け防止片２６は無くても良い。
また、抜け防止片２６は、補強板１８の摺動方向の一方のみ設け、他方には横リブ片２２を設けて補強板１８の抜けを防止しているが、横リブ片２２に代えて抜け防止片２６を設け、一対の抜け防止片２６をねじ止め部１５の両端に設けて補強板１８の抜けを防止しても良い。
更に、外れ防止リブ２４や位置決めリブ２７の形成位置は、上記形態の位置でなくとも良く、例えば位置決めリブ２７は、補強板１８の切り欠き２０の部位でなく、補強板１８の下辺に合わせて形成しても良い。
また、ねじ挿通孔１６が２段の長孔で構成しているが、３段で構成しても良いし、他の形状であっても良い。
【符号の説明】
【００３２】
１・・ハウジング、１ａ・・ハウジング上、１ｂ・・ハウジング下、１１・・枠部、１４・・下側面部（側板）、１５・・ねじ止め部、１６・・ねじ挿通孔、１６ａ・・第１長孔、１６ｂ・・第２長孔、１７・・連通部、１８・・補強板、１８ａ・・舌部、１９・・透孔、２０・・切り欠き、２２・・横リブ片、２３・・縦リブ片（案内壁）、２４（２４ａ、２４ｂ）・・外れ防リブ、２６・・抜け防止片、２６ａ・・弾性片、２７・・位置決めリブ。
【図１】
2011077695.tif 000003
【図２】
2011077695.tif 000004
【図３】
2011077695.tif 000005
【図４】
2011077695.tif 000006
【図５】
2011077695.tif 000007
【図６】
2011077695.tif 000008
【図７】
2011077695.tif 000009